【手続補正書】
【提出日】平成17年1月24日(2005.1.24)
【手続補正１】
【補正対象書類名】明細書
【補正対象項目名】特許請求の範囲
【補正方法】変更
【補正の内容】
【特許請求の範囲】
【請求項１】
遊技者が所定の遊技を行うことが可能な遊技機であって、
遊技の進行を制御するとともに、遊技の進行に応じたコマンドを送信する遊技制御マイクロコンピュータと、
前記遊技制御マイクロコンピュータからのコマンドにもとづいて遊技機に設けられた電気部品を制御するための電気部品制御マイクロコンピュータと、
遊技機で用いられる所定の電源の状態を監視して、遊技機への電力の供給停止に関わる検出条件が成立した場合に検出信号を出力する電源監視手段とを備え、
前記遊技制御マイクロコンピュータおよび前記電気部品制御マイクロコンピュータは、それぞれ、遊技機への電力供給が停止しても所定期間は記憶内容を保持することが可能な変動データ記憶手段を備え、
前記遊技制御マイクロコンピュータは、
前記電源監視手段からの検出信号に応じて、制御状態を復旧させるために必要なデータを前記遊技制御マイクロコンピュータが備える前記変動データ記憶手段に保存するための電力供給停止時処理を実行するとともに、電力の供給停止に関わる検出条件が成立したことを示す条件成立コマンドを前記電気部品制御マイクロコンピュータに送信し、
遊技機への電力供給が開始され所定の復旧条件が成立した場合に、前記遊技制御マイクロコンピュータが備える前記変動データ記憶手段に保存されていた記憶内容にもとづいて制御状態を電力供給が停止する前の状態に復旧させる復旧処理を実行するとともに、前記電気部品制御マイクロコンピュータが備える前記変動データ記憶手段に保存されていた記憶内容にもとづいて制御状態を電力供給が停止する前の状態に復旧させるための復旧コマンドを前記電気部品制御マイクロコンピュータに送信し、
前記電気部品制御マイクロコンピュータは、
前記遊技制御マイクロコンピュータから前記条件成立コマンドを受信したことを条件に、制御状態を復旧させるために必要なデータを前記電気部品制御マイクロコンピュータが備える前記変動データ記憶手段に保存するためのサブ側電力供給停止時処理を実行し、
前記遊技制御マイクロコンピュータから前記復旧コマンドを受信したことを条件に、前記電気部品制御マイクロコンピュータが備える前記変動データ記憶手段に保存されていた記憶内容にもとづいて制御状態を電力供給が停止する前の状態に復旧させるとともに、
前記遊技制御マイクロコンピュータは、遊技の進行に応じたコマンドの送信中に前記電源監視手段からの検出信号を受けたときは、該コマンドの送信終了後に電力供給停止時処理を実行するとともに、前記条件成立コマンドを送信する
ことを特徴とする遊技機。
【請求項２】
遊技制御マイクロコンピュータは、
遊技気への電力供給が開始されたときに、定期的にタイマ割込が発生するように設定し、
定期的に発生するタイマ割込が生じたことにもとづいて遊技の制御を行うための割込処理を実行し、
前記割込処理に要する時間の余り時間で、遊技の制御に用いられるカウンタを更新する処理を実行し、
前記余り時間でカウンタを更新する処理では前記割込処理の実行を禁止する割込禁止状態に設定する
請求項１記載の遊技機。
【請求項３】
電力供給停止時処理にて、電力供給停止時に割込処理の実行を禁止する割込禁止状態または実行を許可する割込許可状態のうちいずれの状態であるかを示す割込許可状態データを変動データ記憶手段に保存させる処理を行い、
復旧処理にて、前記割込状態データにもとづいて前記割込禁止状態または前記割込許可状態に復旧させる
請求項２記載の遊技機。
【手続補正２】
【補正対象書類名】明細書
【補正対象項目名】００１０
【補正方法】変更
【補正の内容】
【００１０】
【課題を解決するための手段】
本発明による遊技機は、遊技者が所定の遊技を行うことが可能な遊技機であって、遊技の進行を制御するとともに、遊技の進行に応じたコマンドを送信する遊技制御マイクロコンピュータ（例えばＣＰＵ５６等）と、遊技制御マイクロコンピュータからのコマンドにもとづいて遊技機に設けられた電気部品（例えば可変表示装置９、ランプ・ＬＥＤ等の発光体、スピーカ２７球払出装置９７）を制御するための電気部品制御マイクロコンピュータ（例えば表示制御手段、ランプ制御手段、音制御手段、払出制御手段）と、遊技機で用いられる所定の電源の状態を監視して、遊技機への電力の供給停止に関わる検出条件が成立した場合に検出信号（例えば電源断信号）を出力する電源監視手段（例えば電源監視用ＩＣ９０２）とを備え、遊技制御マイクロコンピュータおよび電気部品制御マイクロコンピュータが、それぞれ、遊技機への電力供給が停止しても所定期間は記憶内容を保持することが可能な変動データ記憶手段（例えば電源バックアップされたＲＡＭ５５やＲＡＭ１０４）を備え、遊技制御マイクロコンピュータが、電源監視手段からの検出信号に応じて、制御状態を復旧させるために必要なデータ（レジスタの内容等）を遊技制御マイクロコンピュータが備える変動データ記憶手段に保存するための電力供給停止時処理（例えばステップＳ４５０〜Ｓ４８３の処理）を実行するとともに、電力の供給停止に関わる検出条件が成立したことを示す条件成立コマンド（例えば電源断コマンド）を電気部品制御マイクロコンピュータに送信し、遊技機への電力供給が開始され所定の復旧条件（例えばステップＳ８〜Ｓ１０の条件）が成立した場合に、遊技制御マイクロコンピュータが備える変動データ記憶手段に保存されていた記憶内容にもとづいて制御状態を電力供給が停止する前の状態に復旧させる復旧処理（例えばステップＳ１１の遊技状態復旧処理）を実行するとともに、電気部品制御マイクロコンピュータが備える変動データ記憶手段に保存されていた記憶内容にもとづいて制御状態を電力供給が停止する前の状態に復旧させるための復旧コマンドを電気部品制御マイクロコンピュータに送信し、電気部品制御マイクロコンピュータが、遊技制御マイクロコンピュータから条件成立コマンドを受信したことを条件に、制御状態を復旧させるために必要なデータを電気部品制御マイクロコンピュータが備える変動データ記憶手段に保存するためのサブ側電力供給停止時処理（例えばステップＳ７１９の電力供給停止時処理）を実行し、遊技制御マイクロコンピュータから復旧コマンドを受信したことを条件に（例えばステップＳ７０８でＹ）、電気部品制御マイクロコンピュータが備える変動データ記憶手段に保存されていた記憶内容にもとづいて制御状態を電力供給が停止する前の状態に復旧させる（例えばステップＳ７０９の表示制御状態復旧処理を実行）とともに、遊技制御マイクロコンピュータが、遊技の進行に応じたコマンドの送信中に電源監視手段からの検出信号を受けたときは、該コマンドの送信終了後に電力供給停止時処理を実行するとともに、条件成立コマンドを送信することを特徴とする。
【手続補正３】
【補正対象書類名】明細書
【補正対象項目名】００１１
【補正方法】変更
【補正の内容】
【００１１】
遊技制御マイクロコンピュータが、遊技気への電力供給が開始されたときに、定期的にタイマ割込が発生するように設定し、定期的に発生するタイマ割込が生じたことにもとづいて遊技の制御を行うための割込処理を実行し、割込処理に要する時間の余り時間で、遊技の制御に用いられるカウンタを更新する処理を実行し、余り時間でカウンタを更新する処理では割込処理の実行を禁止する割込禁止状態に設定するように構成されていてもよい。
【手続補正４】
【補正対象書類名】明細書
【補正対象項目名】００１２
【補正方法】変更
【補正の内容】
【００１２】
電力供給停止時処理にて、電力供給停止時に割込処理の実行を禁止する割込禁止状態または実行を許可する割込許可状態のうちいずれの状態であるかを示す割込許可状態データを変動データ記憶手段に保存させる処理を行い、復旧処理にて、割込状態データにもとづいて割込禁止状態または割込許可状態に復旧させるように構成されていてもよい。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】０２５６
【補正方法】変更
【補正の内容】
【０２５６】
【発明の効果】
以上のように、請求項１記載の発明では、遊技機を、遊技制御マイクロコンピュータが、電源監視手段からの検出信号に応じて、制御状態を復旧させるために必要なデータを遊技制御マイクロコンピュータが備える変動データ記憶手段に保存するための電力供給停止時処理を実行するとともに、電力の供給停止に関わる検出条件が成立したことを示す条件成立コマンドを電気部品制御マイクロコンピュータに送信し、遊技機への電力供給が開始され所定の復旧条件が成立した場合に、遊技制御マイクロコンピュータが備える変動データ記憶手段に保存されていた記憶内容にもとづいて制御状態を電力供給が停止する前の状態に復旧させる復旧処理を実行するとともに、電気部品制御マイクロコンピュータが備える変動データ記憶手段に保存されていた記憶内容にもとづいて制御状態を電力供給が停止する前の状態に復旧させるための復旧コマンドを電気部品制御マイクロコンピュータに送信し、電気部品制御マイクロコンピュータが、遊技制御マイクロコンピュータから条件成立コマンドを受信したことを条件に、制御状態を復旧させるために必要なデータを電気部品制御マイクロコンピュータが備える変動データ記憶手段に保存するためのサブ側電力供給停止時処理を実行し、遊技制御マイクロコンピュータから復旧コマンドを受信したことを条件に、電気部品制御マイクロコンピュータが備える変動データ記憶手段に保存されていた記憶内容にもとづいて制御状態を電力供給が停止する前の状態に復旧させるとともに、遊技制御マイクロコンピュータが、遊技の進行に応じたコマンドの送信中に電源監視手段からの検出信号を受けたときは、該コマンドの送信終了後に電力供給停止時処理を実行するとともに、条件成立コマンドを送信するように構成にしたので、遊技制御マイクロコンピュータと他の電気部品制御マイクロコンピュータとの間で制御のずれが生ずることを極力防止することができる効果がある。また、
【手続補正１２】
【補正対象書類名】明細書
【補正対象項目名】０２５７
【補正方法】削除
【補正の内容】
【手続補正１３】
【補正対象書類名】明細書
【補正対象項目名】０２５８
【補正方法】削除
【補正の内容】
【手続補正１４】
【補正対象書類名】明細書
【補正対象項目名】０２５９
【補正方法】削除
【補正の内容】
【手続補正１５】
【補正対象書類名】明細書
【補正対象項目名】０２６０
【補正方法】削除
【補正の内容】
【手続補正１６】
【補正対象書類名】明細書
【補正対象項目名】０２６１
【補正方法】削除
【補正の内容】
【手続補正１７】
【補正対象書類名】明細書
【補正対象項目名】０２６２
【補正方法】削除
【補正の内容】
【手続補正１８】
【補正対象書類名】明細書
【補正対象項目名】０２６３
【補正方法】削除
【補正の内容】
【手続補正１９】
【補正対象書類名】明細書
【補正対象項目名】０２６４
【補正方法】削除
【補正の内容】